(57)【特許請求の範囲】
【請求項１】
加入者識別番号を有する無線加入者装置における方法であって、
ネットワークへネットワーク接続要求及び加入者識別番号を送信する工程と、
前記ネットワークが前記加入者識別番号を無効であると判断した場合、ネットワーク接続要求及び加入者識別番号を送信する工程に応答して、ネットワーク接続拒否を前記ネットワークから受信する工程と、
ネットワーク接続拒否を受信した後、要求された接続が緊急セッションだけのためであることを示すビットの組合せである緊急接続指標を前記ネットワークへ送信する工程と
を含む方法。
【請求項２】
請求項１に記載の方法であって、緊急接続指標を送信した後、緊急接続受諾を受信する工程を有する方法。
【請求項３】
請求項１に記載の方法であって、
ネットワーク接続要求がアタッチ要求であり、
アタッチ要求と共に国際移動加入者識別番号を送信する工程を有する方法。
【請求項４】
請求項１に記載の方法であって、
前記ビットの組合せは、次の３ビット組合せ、即ち、０００、１００、１０１、１１０、及び１１１のうちの１つである、前記方法。
【請求項５】
請求項１に記載の方法であって、無線加入者装置の電源投入時に、ネットワーク接続要求を送る工程を有する方法。
【請求項６】
請求項５に記載の方法であって、緊急接続指標を送った後ネットワークに接続し、無線加入者装置の電源切断又は時間期間終了時の少なくとも一方まで、ネットワークに接続したままである方法。
【請求項７】
加入者識別番号を有する無線加入者装置であって、無線加入者装置は、
送信機に接続されたプロセッサを備え、
前記プロセッサは、無線加入者装置の電源投入時、送信機を制御してネットワーク接続要求及び加入者識別番号をネットワークへ送信させ、
前記プロセッサは、前記加入者識別番号が無効であると前記ネットワークが判断した場合に、前記ネットワークからネットワーク接続拒否を受信する工程に応答して、送信機を制御して、要求された接続が緊急セッションだけのためであることを示す緊急接続指標を送信させ、
前記無線加入者装置は、前記緊急接続指標の送信の後、前記ネットワークから緊急接続受諾を受信する、前記無線加入者装置。
【請求項８】
請求項７に記載の無線加入者装置であって、前記プロセッサが、送信機を制御して、ビットの組合せとして緊急接続指標を送信させる、前記無線加入者装置。
【請求項９】
請求項８に記載の無線加入者装置であって、前記プロセッサが、送信機を制御して、次のビットの組合せ、即ち、０００、１００、１０１、１１０、及び１１１のうちの１つとして、緊急接続指標を送信させる、前記無線加入者装置。
【請求項１０】
無線通信ネットワークにおける方法であって、
ネットワーク接続要求及び加入者識別番号をネットワークの加入者装置から受信する工程と、
前記加入者識別番号が無効であることを判断した後、加入者識別番号を送信した加入者装置にネットワーク接続拒否を送信する工程と、
前記ネットワーク接続拒否を送信する工程に応答して、無効な加入者識別番号を送信した加入者装置から限定接続指標を受信する工程であって、前記限定接続指標は、要求された接続が緊急セッションのためだけであることを示す、前記限定接続指標を受信する工程と、
前記加入者装置から前記限定接続指標を受信する工程に応答して、前記無効な加入者番号を送信した加入者装置を前記ネットワークへ接続する工程と、
前記加入者装置が緊急セッションを終了した後、前記無効な加入者識別番号を送信した加入者装置へのネットワーク接続を維持する工程と
を含む方法。
【請求項１１】
請求項１０に記載の方法であって、
緊急セッションの終了後、無効な加入者識別番号を送信した加入者装置を呼び出す工程を有する方法。
【請求項１２】
請求項１０に記載の方法であって、
前記限定接続指標は、緊急接続指標であり、
緊急接続指標を受信する工程には、ネットワーク接続が緊急セッションだけのためであることを示す組合せのビットを受信する工程が含まれる方法。
【請求項１３】
請求項１０に記載の方法であって、
前記限定接続指標は、緊急接続指標であり、
緊急接続指標を受信する工程には、次のビット組合せ、即ち、０００、１００、１０１、１１０、及び１１１のうちの１つを受信する工程が含まれる方法。
【請求項１４】
無線通信ネットワークにおける方法であって、
無効な加入者識別番号を有する加入者装置からネットワーク接続要求を受信する工程と、
ネットワーク接続要求に限定ネットワーク接続指標が存在しない場合に、加入者装置が無効な加入者識別番号を有していると判断すると、限定された目的のために、ネットワーク接続要求を送信した加入者装置を無線通信ネットワークに接続する工程と、
緊急セッションの終了後、前記無効な加入者識別番号を送信した加入者装置を呼び出す工程と
を含む方法。
【請求項１５】
請求項１４に記載の方法であって、
緊急ネットワーク接続指標が欠如している加入者装置からネットワーク接続要求を受信する工程と、
ネットワーク接続要求に緊急ネットワーク接続指標が存在せず、加入者装置が無効な加入者識別番号を有すると判断されると、緊急セッションだけのために、ネットワーク接続要求を送信した加入者装置を無線通信ネットワークに接続する工程とを有する方法。
【請求項１６】
請求項１４に記載の方法であって、
加入者装置が緊急セッションを終了した後、無効な加入者識別番号を送信した加入者装置へのネットワーク接続を維持する工程を有する方法。
【発明の詳細な説明】
【技術分野】
【０００１】
本開示は、一般的に、無線通信に関し、特に、パケットデータネットワークにおいて無効な加入者識別番号(Subscriber Identity) を有する無線通信装置、例えば、無効な加入者識別モジュール（Subscriber Identity Module: ＳＩＭ）を有するセルラ通信ハンドセットのための緊急及び他の限定された通信セッションの確立及びそのための方法に関する。
【背景技術】
【０００２】
無線セルラ加入者端末は、一般的に、通信セッションを確立する前、有効な加入者識別番号、例えば、国際移動加入者識別番号（international mobile subscriber identity: ＩＭＳＩ）をセルラネットワークに登録する必要がある。しかしながら、有効な加入者識別番号を有さない端末は、例えば、米国では、「９１１」をダイヤル発信することによって緊急通話を行うことができる。
【０００３】
特許文献１には、無効な加入者識別番号を有する端末に一時的な加入者識別番号を割当て、端末と緊急オペレータとの間でネットワークを介した緊急通話セッションの確立を可能にする方法が開示されている。一時的な加入者識別番号には、Ｅ．１６４コールバック番号（ＣＢＮ）が含まれ、これは、発信通話が切れた後、その端末を呼び出す際、端末を識別するために用いられる。
【０００４】
特許文献２には、暫定的な国際移動加入者識別番号（ＩＭＳＩ）をＧＳＭ  ＧＰＲＳ又は加入者識別モジュール（ＳＩＭ）カードを有さないユニバーサル移動電話システム（Universal Mobile Telephone System:ＵＭＴＳ）移動加入者端末に割当て、加入者端末が回線・パケット交換ネットワークにおいて緊急通話を行い得る方法が開示されている。暫定的なＩＭＳＩは、ＳＩＭカードがない場合、情報の中でもとりわけ、加入者端末に対応する国際移動体装置識別番号（international mobile equipment identity:ＩＭＥＩ）を用いて、暫定識別番号発生器によって端末上で生成される。ネットワークにおいて、ユーザ識別番号モジュールは、暫定的な加入者識別番号の存在を検出し、暫定識別番号を従来のＨＬＲとは異なる暫定ホーム・ロケーション・レジスタ（interim Home Location Register: Ｉ−ＨＬＲ）経由で送る。
【０００５】
近年、ノキア（Ｎｏｋｉａ）は、一般パケット無線資源（ＧＰＲＳ）ネットワークにおいて緊急セッションのアタッチメント要求をネットワークが識別できるようにするために、幾つかのＵＭＴＳ標準化領域が含まれる第３世代パートナーシップ・プロジェクト（３ＧＰＰ）の改訂を提案した。特に、ノキアは、アタッチ手順が緊急セッションのために開始された場合、移動局（ＭＳ）が緊急接続指標をネットワークに提供する必要がある３ＧＰＰ・セクション６．５「ＧＰＲＳアタッチ機能(GPRS Attach Function)」の修正を提案した。ノキアの提案においては、ネットワーク及び特にサービス提供ＧＲＰＳ支援ノード（ＳＧＳＮ）は、緊急接続指標を有するアタッチ要求を拒否してはならない。ノキアの提案は、新しい通信セッションの各々に先立ちネットワークに再アタッチする移動局を支援する。ノキアの提案においては、非緊急セッションに対するアタッチメント要求は、緊急接続指標を含まない。
【０００６】
本開示の様々な側面、特徴及び利点は、以下のその詳細な説明を、以下に述べる添付図面と共に斟酌すると当業者にはより明らかになるであろう。
【特許文献１】米国特許出願公報第２００２／０１１１１５９号Ａｌ
【特許文献２】国際出願公報第ＷＯ０２／０８０４９９号Ａ１
【発明の開示】
【発明が解決しようとする課題】
【０００７】
本開示は、一般的に、別の方法ではネットワークによってアクセスが禁止又は拒否される状況下で、限定された目的のために、無線通信装置の中でもとりわけ、パケットデータ通信ネットワークへの接続又はアタッチを可能にする加入者装置、例えば、セルラ無線ハンドセット、携帯情報端末（ＰＤＡ）、無線作動コンピュータに関する。
【課題を解決するための手段】
【０００８】
１つの応用例では、無効な加入者識別番号を有する加入者装置が、緊急セッションを処理するという限定された目的のために、例えば、米国では緊急オペレータへのＥ−９１１通話を行うために、又は、他の国で同様な緊急通話を行うために、ネットワークへの接続が許可される。他の実施形態では、加入者装置は、差し迫った緊急セッション以外の限定された目的のために、通信ネットワークへのアクセスを提供し得る。例えば、政府機関から非緊急公共サービスを求める限定アタッチメントは、例えば、米国の幾つかの都市では、９１１通話より緊急ではない「３１１」通話を行うためである。他の実施形態では、通信ネットワークによって許可される限定的なアクセスは、公共的な政策によってではなく、商業的な報奨、例えば、市場のシェアを拡大するために無線通信事業者が提供する報奨が動機となって行われる。
【０００９】
本開示は、概して、回線交換ドメインとパケットデータドメインとを組み合わせたものやパケットデータだけのドメインに適用可能である。１つの代表的な実施形態において、パケットデータネットワークは、より詳細に後述する一般パケット無線サービス（ＧＰＲＳ）データネットワークである。別の実施形態では、パケットデータドメインは、ＩＰ経由音声パケットデータネットワークである。別の実施形態では、パケットデータドメインは、１Ｘパケットデータネットワークである。他の実施形態では、パケットデータドメインは、次世代パケットデータネットワークである。
【発明を実施するための最良の形態】
【００１０】
典型的なパケットデータネットワークは、移動通信（ＧＳＭ）無線アクセスネットワーク用の第２世代（２Ｇ）グローバルシステムの一部、又は、第３世代（３Ｇ）ユニバーサル移動電話システム（ＵＭＴＳ）データ交換ネットワークの一部、あるいは、２Ｇ及び３Ｇネットワークの組合せ、又は、他のいずれかの通信ネットワークである。図１は、代表的な無線通信システム１００の概略図である。無線通信システム１００には、２Ｇ  ＧＳＭ一般パケット無線サービス（ＧＰＲＳ）／グローバル・エボリューションのための拡張データ（Ｅｎｈａｎｃｅｄ  Ｄａｔａ  ｆｏｒ  Ｇｌｏｂａｌ  Ｅｖｏｌｕｔｉｏｎ：ＥＤＧＥ）無線アクセスネットワーク１１０が含まれる。該ネットワーク１１０には、プロトコル制御ユニット１１６と、例えば、図１の加入者装置１０２等の加入者装置とも通信を行う１つ又は複数の基地局トランシーバ１１４と、に接続された基地局コントローラ１１２が含まれる。代表的な無線通信システム１００には、更に、３Ｇ・ＵＭＴＳ無線アクセスネットワーク１２０が含まれ、ネットワーク１２０には、加入者装置とも通信を行う１つ又は複数のノード１２４に接続されたネットワークコントローラ１２２が含まれる。
【００１１】
図１において、プロトコルコントローラ１１４及びネットワークコントローラ１２２は、サービス提供ＧＰＲＳ支援ノード（ＳＧＳＮ）１３２及びゲートウェイＧＰＲＳ支援ノード（ＧＧＳＮ）１３４によってパケットデータネットワーク１３０と通信を行う。基地局コントローラ１１２及びネットワークコントローラ１２２は、移動体交換局１３８を介して公衆交換電話網１１６とも通信を行う。
【００１２】
幾つかの実施形態では、ネットワークは、加入者装置が無効な加入者識別番号を有するため、加入者装置へのアクセスを禁止する。無効な加入者識別番号は、例えば、加入者装置内に加入者識別モジュール（ＳＩＭ）が存在しないことに起因し得る。ＳＩＭは、加入者識別番号情報、及び着脱可能な集積回路（ＩＣ）カード、例えば、Ｗ−ＣＤＭＡアーキテクチャにおけるユニバーサル集積回路カード（ＵＩＣＣ）に関する他の情報を有するモジュールである。ＳＩＭが存在しないと、加入者装置は、ネットワークによって加入者装置を識別するために用いられる国際移動加入者識別番号（ＩＭＳＩ）を提供しない。他の実施形態では、加入者装置の識別番号は、他の何らかのＩＣ、例えば、Ｗ−ＣＤＭＡネットワークにおけるユニバーサルＳＩＭ（Ｕ−ＳＩＭ）カード、又は、ＣＤＭＡｌｘアーキテクチャ等に用いられる等価な装置によって提供される。
【００１３】
また、無効な加入者識別番号は、ＩＭＳＩ又は加入者装置の他の加入者識別番号が、加入者装置がアタッチメントを要求しているネットワークによって認識されない場合、例えば、通常、加入者のサービスプロバイダとのローミング契約が存在しない場合に生じ得る。無効な加入者識別番号は、加入者装置が、支払を怠ったため即ちアカウントの維持を怠ったため停止し得る停止状態のＳＩＭ又は他のＩＣを有するために生じることもある。また、無効な加入者識別番号は、加入者装置又はＳＩＭカードがロックアウトされた場合にも生じ得る。無効な加入者識別番号が生じ得る上記シナリオ又は状況は、例示であり、これらに限定されるものではない。更に、加入者装置へのアクセスをネットワークが拒否する根拠となる無効な加入者識別番号以外の状況も存在し得る。
【００１４】
図２の代表的なプロセス図２００では、ブロック２１０において、加入者装置が電源投入される、即ち、動作状態または動作モードが変わる。ブロック２２０において、幾つかの実施形態では、加入者装置は、加入者識別番号情報を有するＳＩＭカード又は他のＩＣが存在するか否か、又はより一般的には、加入者装置が加入者識別番号を有するか否か、例えば、加入者装置がＩＭＳＩを有するか否かを判断する。提案したように、他の実施形態では、装置は、ＳＩＭカード以外の何らかのもの、例えば、Ｗ−ＣＤＭＡユニバーサルＳＩＭ（Ｕ−ＳＩＭ）カード、又はＣＤＭＡｌｘアーキテクチャに用いられる同等の装置又は加入者識別番号情報を有する何らかの他の着脱自在な集積回路（ＩＣ）カードを検出し得る。ブロック２２０におけるＳＩＭ又は他のＩＣカードの検出は、例えば、ＳＩＭ又はＩＣカードの存在を検出する加入者装置上のソフトウェア制御式デジタルプロセッサによって、あるいは、ＳＩＭ又はＩＣカードからのデータの読み込みに基づいて行われ得る。
【００１５】
図１おいて、代表的な加入者装置１０２には、ＳＩＭカード１０６の存在を検出するＳＩＭカード検出器１０４が含まれる。ＳＩＭ検出器１０４は、より一般的に、加入者装置が加入者識別番号、例えば、ＩＭＳＩ又はパケットデータネットワークに接続するための他の加入者識別番号を有するか否かを検出する。加入者装置におけるＳＩＭカードの検出については、更に、例えば、"Method and Apparatus for Anonymous Network Access In Absence of A Mobile Subscriber Identity Module" と題されたＷＯ０２／０８０４９９Ａ１（特許文献２）に述べられている。他の実施形態では、加入者装置は、ＳＩＭカードが存在するか否かを検出しない。
【００１６】
図２において、ブロック２３２では、加入者装置は、接続要求、例えば、パケットデータネットワークへのアタッチ要求を送信する。アタッチ要求には、一般的に、加入者識別番号が含まれる。ＳＩＭカード又は他のＩＣが存在する場合、加入者装置は、ＳＩＭカード又は他のＩＣによって提供された加入者識別番号、例えば、ＩＭＳＩをネットワークに送る。他の実施形態では、加入者識別番号は、更に後述するように、ＩＭＳＩ以外の何らかのものであってよい。アタッチ要求は、当業者によって一般的に知られている加入者装置のプロセッサコントローラ送信機によって送信される。
【００１７】
図３の代表的なプロセス図３００において、無線パケットデータ通信ネットワークは、ブロック３１０で、ネットワーク接続要求、例えば、図２においてブロック２３２で参照されたアタッチ要求をその加入者識別番号を含み加入者装置から受信する。図３において、ブロック３２０では、ネットワークは、加入者装置から受信された加入者識別番号が有効であるか否かを判断する。加入者識別番号が有効な場合、ネットワークは、ブロック２３０において、加入者装置をネットワークにアタッチ（接続）する。図２において、ブロック２３４では、幾つかのネットワークが、アタッチ受諾(attach acceptance) を加入者装置に送り、ブロック２３６に示すように、加入者装置がネットワークにアタッチされていること又はアタッチされるだろうことを確認する。加入者識別番号の検証は、一般的に、ネットワークにおいて、ソフトウェア制御の下でデジタルプロセッサによって行われる。
【００１８】
図３において、ブロック３４０では、一実施形態において、ネットワークが、加入者装置の加入者識別番号が無効であると判断すると、限定された目的のために、例えば、緊急セッションだけのために、ネットワークは、加入者装置を自動的にネットワークにアタッチする。ネットワークのこれら及び他の機能的な態様は、ソフトウェア制御式デジタルプロセッサの制御下で行われる。本開示のこの態様によれば、自動アタッチメントは、好適には、加入者装置からの付加的な情報によって行われ、例えば、加入者装置が、アタッチ要求と共に限定タッチ指標又は緊急アタッチ指標を送る必要はない。これらの代表的な状況下では、ネットワークは、無効な加入者識別番号の存在にのみ基づいて、限定された目的のために、加入者装置をネットワークにアタッチする。限定アタッチは、緊急セッションのみのためであってよく、かつ／又は、上述したように、ネットワークサービスへ加入させることなどを目的とした加入者へ報奨を提供する手段としてもよい。
【００１９】
前述したように、ネットワークによって受信された無効な加入者識別番号は、ＩＭＳＩ又は、要求を受信するネットワークとのローミング契約の管理下にない他の加入者識別番号であってよい。図１において、代表的なネットワークは、ホーム・ロケーション・レジスタ（ＨＬＲ）１４０をチェックすることによって、加入者識別番号が有効であるか否かを判断する。提案したように、幾つかの場合、例えば、アタッチ要求を受信するネットワークと加入者のホームネットワークとの間のローミング契約が存在しない場合、また、装置上の加入者識別番号にＳＩＭカード又は同様な装置が存在しないために、加入者装置が擬似加入者識別番号を送る場合、加入者識別番号はＨＬＲ上に位置しない。他の場合としては、加入者識別番号は、ＨＬＲ上のリストに記載されているが、その加入者識別番号は、例えば、加入者のアカウントが支払を滞納しているために無効又は停止状態であることがある。
【００２０】
幾つかの実施形態では、例えば、加入者装置が緊急セッションだけのために、ネットワークにアタッチされる場合、加入者装置は、セッションの終了後、例えば、Ｅ−９１１通話が終了した後、ネットワークにアタッチされたままであることが望ましい。加入者装置がセッションを終了した後、加入者装置とのネットワーク接続を維持することによって、加入者装置は、最初のセッションが終了した後、呼を受信し得る。代表的な実施形態において、ネットワークは、例えば、緊急オペレータからの呼などの折り返しの呼を有する加入者示す加入者識別番号を用いて、加入者装置を呼び出し得る。
【００２１】
幾つかの実施形態では、加入者装置は、セッション終了後、所定期間の間、ネットワークにアタッチされたままである。例えば、連邦通信委員会の要求により、Ｅ−９１１発呼者は、緊急セッションが終了した後、所定時間内に、コールバックを受信可能でなければならない。このようなアタッチメント方式は、各セッションに関連する限定された時間の間、ネットワークにアタッチし、セッション終了時デタッチする加入者装置にとって望ま
しい。他のネットワーク、例えば、回線交換ドメインにないパケットデータだけのネットワークでは、加入者装置は、電源投入時ネットワークにアタッチし、セッションの終了までではなく、給電停止まで、所定期間の終了まで、又はネットワークもしくは加入者装置による何れか他のイベント実行の終了までアタッチされたままである。これらの状況下では、ネットワークが、緊急セッション後、所定時間内に加入者装置を確実にデタッチしないことが望ましい。
【００２２】
本発明の別の態様によれば、図４のプロセス４００において、ブロック４１０で、加入者は、ネットワーク接続要求及び加入者識別番号をネットワークに送信する。加入者識別番号は、通常、前記要求に含まれる。ブロック４２０において、ネットワークが、加入者識別番号は無効であると判断すると、ネットワークは、ブロック４３０において、無効な加入者識別番号を有する要求の受信に応答して、アタッチ拒否(attach rejection)を送信する。従って、図３との関連で上述した代表的な実施形態とは異なり、ネットワークは、図４によって例示したプロセスでは、加入者装置を自動的にはアタッチしない。
【００２３】
図４のブロック４４０において、加入者装置は、ブロック４３０においてネットワークから送信されたアタッチ拒否の受信に応答して、限定アタッチ要求をネットワークに送る。一実施形態では、加入者装置は、限定アタッチ指標、例えば緊急アタッチ指標を含む別のアタッチ要求を送信して、加入者が緊急セッションだけのために、アタッチメントを要求していることをネットワークに通知する。他の実施形態では、限定アタッチは、新しい加入者を勧誘するために、ネットワークアクセスを試行期間に制限し得る。ブロック４５０において、ネットワークは、限定された目的のために、無効な加入者識別番号を有する加入者装置をアタッチする。
【００２４】
ブロック４６０において、加入者装置は、その加入者識別番号が有効である場合、通常の手順に従って、例えば、図２のブロック２３２，２３４，２３６との関連で上述したように、ネットワークにアタッチされる。図２の代表的な実施形態におけるプロセスと異なり、図４の実施形態におけるプロセスは、加入者装置は、要求を送る前、ＳＩＭが存在するか否かを判断する必要がない。ＳＩＭの存在を検出する加入者装置では、該装置は、ネットワークにアタッチしようとするまで、アタッチ要求が拒否されるか否か分からない。幾つかの実施形態では、加入者装置のネットワークへのアタッチをネットワークが拒否することによって、加入者装置が限定アタッチ要求指標を送らねばならないことが加入者装置に示される。他の実施形態では、装置が緊急セッションを開始しつつあることを加入者装置が検出した場合、限定アタッチ要求を送信し得る。
【００２５】
本開示の別の態様によれば、加入者識別番号情報を含むＳＩＭ又は他のＩＣが存在しないと検出されると、加入者装置は、ネットワークが通常のアタッチメント要求を拒否すると結論付け得る。これらの状況下において、幾つかの実施形態では、加入者装置は、更に後述するように、アタッチ要求と共に限定アタッチ指標を含み得る。
【００２６】
一実施形態では、加入者装置が、例えば、ブロック２２０において、図２で判断されたように、ＳＩＭカードを検出しない場合、加入者装置は、ブロック２４０において、擬似加入者識別番号を生成し、接続要求と共にネットワークに送信する。図１において、加入者装置１０２は、擬似加入者識別番号を生成するための識別番号発生器１０８を備える。一実施形態では、擬似加入者識別番号は、ＩＭＳＩ又は他の加入者識別番号の代わりに、加入者装置設備識別、例えば、ＣＤＭＡ設備を識別するために用いられるＥＳＮ、又はＧＳＭ設備を識別するために用いられるＩＭＥＩ番号である。
【００２７】
別の実施形態では、例えば、特許文献２に開示されているように、擬似加入者識別番号は、暫定的な国際移動加入者識別番号（ＩＭＳＩ）であり、加入者装置によって生成され
、ネットワークに送信される。幾つかの形態において、暫定ＩＭＳＩは、ＳＩＭカードが移動ユーザ装置に挿入される際に用いられるＩＭＳＩの既知の長さ特性に適合し、また、所定の未使用の暫定移動国コード、所定の未使用の暫定移動ネットワークコード、及び移動ユーザ装置に対応する国際移動体装置識別番号（ＩＭＥＩ）の一部を含む関連する擬似ランダム数を含む。暫定ＩＭＳＩは、移動ユーザ装置に対応する国際移動体装置識別番号（ＩＭＥＩ）を含むローカル情報、予め演算処理されたＳＲＥＳを含むローカル情報、予め演算処理された暗号鍵を含むローカル情報、ＳＩＭカード上に常駐する識別番号の組合せ、ＳＩＭカード上に常駐する識別番号の一部、の内１つ又は複数を用いて生成され得る。擬似加入者識別番号は、一般的に、ネットワークが装置を識別するために、例えば、登録及びコールバックを目的として用い得る任意の識別番号であってよい。
【００２８】
幾つかの実施形態では、例えば、図３との関連で述べたプロセスでは、加入者装置は、限定アタッチ要求ビット又は情報を含まずに、要求と共に擬似加入者識別番号をネットワークに送る。幾つかの状況では、例えば、加入者装置はそれが無効な加入者識別番号を有すると判断した場合、最初のアタッチ要求と共に、限定アタッチ要求指標を送ることが望ましい。図２、ブロック２４２において、加入者装置は、限定アタッチ要求と共に擬似加入者識別番号をネットワークに送る。ブロック２４６において、ネットワークは、加入者装置が、ブロック２４８において示すように、限定された目的のために、ネットワークにアタッチされていること又はアタッチされるだろうことを示す限定アタッチ受諾によって応答する。
【００２９】
幾つかの実施形態では、ネットワークが、無効な加入者識別番号、例えば、認定されていない即ち停止状態のＩＭＳＩ又はＥＳＮ又はＩＭＥＩ又は暫定ＩＭＳＩを受信する場合、ネットワークは、その無効な加入者識別番号をネットワークに登録する。図１において、例えば、擬似加入者識別番号は、擬似ＨＬＲ１４２に格納される。他の選択肢として、無効な加入者識別番号は、ＨＬＲ１４０又は何れか他の指定された場所に格納し得る。無効な又は擬似加入者識別番号の登録も、特許文献２に開示されている。
【００３０】
一実施形態では、限定接続指標の送信には、要求されたネットワーク接続が限定された目的のためであること、例えば、緊急セッションだけのためであることを示すビットの組合せを送信することが含まれる。一実施形態では、接続要求には、次のビットの３ビットの組合せ、即ち、０００、１００、１０１、１１０、及び１１１のうちの１つが含まれる。これらの３ビットの組合せは、ネットワークに対して、加入者装置によるアタッチ要求が限定された目的のためであることを示す。
【００３１】
図５は、無線加入者装置から無線通信ネットワークへ送信するための代表的なパケットデータネットワークアタッチ要求メッセージ５００を示す。代表的なアタッチ要求メッセージには、一般的に、加入者識別番号を示すための、例えば、ＩＭＳＩ又は上述した幾つかの他の識別番号例を示すための加入者識別フィールド５１０が含まれる。代表的なメッセージ５００には、アタッチ要求が上記で例示した限定された目的のためであることを示す、限定アタッチフィールド５２０が更に含まれる。また、メッセージには、特定のパケットデータプロトコルの一部として必要な他の情報が含まれる。
【００３２】
通常、加入者装置は、ネットワークに接続する場合、上述したように、最初にアタッチしてからＰＤＰコンテキスト起動を開始しなければならない。本開示の別の態様によれば、加入者装置は、アタッチなしでＰＤＰコンテキスト起動(PDP Context Activation)を開始して信号通信及び複雑さを低減する。
【００３３】
図６及び図７は、アタッチ要求を最初に送ることなく、ネットワークと通信を行うための代表的な信号通信図を示す。一実施形態では、加入者識別番号は、ＰＤＰコンテキスト
要求と共に含まれる。ネットワークは、上述したように、加入者識別番号を用い得る。例えば、ＰＤＰコンテキスト要求における加入者識別番号が無効である場合、ネットワークは、限定された目的のために、加入者装置をネットワークに自動的にアタッチし得る。加入者識別番号をＰＤＰコンテキスト起動要求(PDP Context Activation Request)に含むと、ネットワークは、更に、加入者装置を呼び出してコールバックを行い得る。
【００３４】
一実施形態では、緊急セッションに関係するとネットワークによって認識されるように所定の方法で、ＰＤＰコンテキスト起動用のＱｏＳパラメータを構成することによって、セッションが、非緊急セッションではなく、緊急セッションであることがネットワークに通知される。別の実施形態では、ＰＤＰコンテキスト起動要求に、緊急セッション指標、例えば、上述したビットの組合せが含まれることによって、そのセッションは緊急セッションであることがネットワークに通知される。
【００３５】
本開示及び現工程で本発明の最良の形態であると見なされるものについて、本発明者によるその所有を確立するように、また、当業者が本発明を実現して用いることができるように述べたが、本明細書で開示した代表的な実施形態には数多くの等価なものが存在し、また、代表的な実施形態によってではなく添付の特許請求の範囲によって限定される本発明の範囲と精神から逸脱することなく、それらに対して無数の修正や変更を行うことが可能であることを理解し認識されたい。
【図面の簡単な説明】
【００３６】
【図１】代表的なパケットデータ無線通信ネットワークを示す図。
【図２】パケットデータネットワークにアタッチするための代表的なプロセスを示す図。
【図３】無効な加入者識別番号を有する加入者装置をパケットデータネットワークにアタッチするための代表的なプロセスを示す図。
【図４】無効な加入者識別番号を有する加入者装置をパケットデータネットワークにアタッチするための別の代表的なプロセスを示す図。
【図５】代表的なパケットデータネットワークアタッチ要求メッセージを示す図。
【図６】最初にアタッチ要求を送ることなくネットワークと通信を行うための代表的な信号通信を示す図。
【図７】最初にアタッチ要求を送ることなくネットワークと通信を行うための別の代表的な信号通信を示す図。
【図１】
0004485521.tif 000002
【図２】
0004485521.tif 000003
【図３】
0004485521.tif 000004
【図４】
0004485521.tif 000005
【図５】
0004485521.tif 000006
【図６】
0004485521.tif 000007
【図７】
0004485521.tif 000008